(57)【要約】【課題】落し主に戻ってきた非接触ＩＣカードの残額が保証される機会をうみ出し得る料金収受システムを提供する。【解決手段】非接触ＩＣカード（ＩＣＣ２０）の持ち主Ａは、ＩＣＣの紛失後、その旨を情報管理センター５０に届け出る。届出を受けた情報管理センターは紛失したＩＣＣに関する情報（個人情報を含む。）をブラックリスト５１に登録する。ブラックリストは料金収受機１０および入金機３０に定期的に配信され、これらに取得、保存される。料金収受機１０はブラックリストに該当するＩＣＣが使用されようとした場合に、その利用を拒否し、初回使用の場合にはＩＣＣから残額のみを消去し、二回目の不正使用時には個人情報を削除する。持ち主にＩＣＣが戻ってきたなら、持ち主はＩＣＣを入金機３０に挿入し、個人情報を入力することで、入金機にてＩＣＣへの残額情報、個人情報の復旧が行われる。【選択図】図２
2005173647.tif 000002
【特許請求の範囲】
【請求項１】
少なくとも個人情報および残額情報を記録できる書き換え可能な記録部を有する料金収受用の媒体と通信する通信部と、
前記媒体の紛失を届け出た者の個人情報を取得する紛失者個人情報取得部と、
前記通信部を通じて前記媒体の前記記録部に記録されている個人情報を読み込み、この読み込んだ個人情報と、前記紛失者個人情報取得部により取得した個人情報とに基づいて、当該媒体が紛失媒体であるかどうかを判定し、前記紛失媒体である場合、当該紛失媒体の紛失後の利用回数を判定し、最初の利用回であれば前記記録部の前記残額情報を消去し、二回目以降の所定の利用回であれば前記個人情報を消去するように、前記通信部を通じて前記記録部の内容を書き替える制御部と
を具備することを特徴とする料金収受装置。
【請求項２】
前記制御部は、前記紛失媒体の紛失後の利用回の情報を前記紛失媒体の前記記録部に記録するように前記通信部を通じて前記記録部の内容を書き替える
ことを特徴とする請求項１に記載の料金収受装置。
【請求項３】
少なくとも個人情報および残額情報を記録できる書き換え可能な記録部を有する料金収受用の媒体と通信する通信部と、
前記媒体の紛失を届け出た者の個人情報を紛失者個人情報として取得する紛失者個人情報取得部と、
利用者に個人情報を入力させる入力部と、
前記通信部を通じて前記媒体の前記記録部に記録されている情報を読み込み、前記記録部から前記残額情報が消去されている場合、前記記録部から読み込んだ個人情報、前記入力部より入力された個人情報、および前記紛失者個人情報取得部により取得された紛失者個人情報の整合を確認し、整合が確認された場合、前記媒体の前記記録部から消去された前記残額情報を復旧するように、前記通信部を通じて前記記録部の内容を書き替えるとともに、前記紛失者個人情報の取得元に対して前記紛失者個人情報の更新を依頼する制御部と
を具備することを特徴とする媒体処理装置。
【請求項４】
前記制御部は、前記通信部を通じて前記媒体の前記記録部の内容を読み込んだ結果を基に前記記録部から前記残額情報および前記個人情報が消去されていることを判定した場合、前記入力部より入力された個人情報と、前記紛失者個人情報取得部により取得された紛失者個人情報との整合を確認し、整合が確認された場合、前記媒体の前記記録部から消去された前記残額情報および前記個人情報を復旧するように、前記通信部を通じて前記記録部の内容を書き替えるとともに、前記紛失者個人情報の取得元に対して前記紛失者個人情報の更新を依頼する
ことを特徴とする請求項３に記載の媒体処理装置。
【請求項５】
料金収受装置と媒体処理装置とを含む料金収受システムであって、
前記料金収受装置は、
少なくとも個人情報および残額情報を記録できる書き換え可能な記録部を有する料金収受用の媒体と通信する第１の通信部と、
前記媒体の紛失を届け出た者の個人情報を紛失者個人情報として取得する第１の紛失者個人情報取得部と、
前記第１の通信部を通じて前記媒体の前記記録部に記録されている個人情報を読み込み、この読み込んだ個人情報と、前記第１の紛失者個人情報取得部により取得した紛失者個人情報とに基づいて、当該媒体が紛失媒体であるかどうかを判定し、前記紛失媒体である場合、当該紛失媒体の紛失後の利用回数を判定し、最初の利用回であれば前記記録部の前記残額情報を消去し、二回目以降の所定の利用回であれば前記個人情報を消去するように、前記第１の通信部を通じて前記記録部の内容を書き替える第１の制御部とを有し、
前記媒体処理装置は、
前記媒体と通信する第２の通信部と、
前記紛失者個人情報を取得する第２の紛失者個人情報取得部と、
利用者に個人情報を入力させる入力部と、
前記第２の通信部を通じて前記媒体の前記記録部に記録されている情報を読み込み、前記記録部から前記残額情報が消去されている場合、前記記録部から読み込んだ個人情報、前記入力部より入力された個人情報、および前記第２の紛失者個人情報取得部により取得した紛失者個人情報の整合を確認し、整合が確認された場合、前記媒体の前記記録部から消去された前記残額情報を復旧するように、前記第２の通信部を通じて前記記録部の内容を書き替えるとともに、前記紛失者個人情報の取得元に対して前記紛失者個人情報の更新を依頼し、前記記録部から前記残額情報および前記個人情報が消去されている場合、前記入力部より入力された個人情報と、前記第２の紛失者個人情報取得部により取得された紛失者個人情報との整合を確認し、整合が確認された場合、前記媒体の前記記録部から消去された前記残額情報および前記個人情報を復旧するように、前記第２の通信部を通じて前記記録部の内容を書き替えるとともに、前記紛失者個人情報の取得元に対して前記紛失者個人情報の更新を依頼する第２の制御部とを有する
ことを特徴とする料金収受システム。
【請求項６】
料金収受装置にて、
少なくとも個人情報および残額情報を記録できる書き換え可能な記録部を有する料金収受用の媒体と通信して、前記媒体の前記記録部に記録されている個人情報を読み込み、
前記媒体の紛失を届け出た者の個人情報を紛失者個人情報として取得し、
前記読み込んだ個人情報と前記取得した紛失者個人情報とに基づいて、当該媒体が紛失媒体であるかどうかを判定し、前記紛失媒体であることが判定された場合、当該紛失媒体の紛失後の利用回数を判定し、最初の利用回であれば前記記録部の前記残額情報を消去し、二回目以降の所定の利用回であれば前記個人情報を消去するように、前記媒体と通信して前記記録部の内容を書き替え、
媒体処理装置にて、
前記媒体と通信して、この媒体の前記記録部に記録されている個人情報を読み込み、
利用者に個人情報を入力させるとともに、前記紛失者個人情報を取得し、
前記媒体の前記記録部から前記残額情報が消去されている場合、前記記録部から読み込んだ個人情報、前記入力された個人情報、および前記紛失者個人情報の整合を確認し、整合が確認された場合、前記媒体の前記記録部から消去された前記残額情報を復旧するように、前記第２の通信部を通じて前記記録部の内容を書き替えるとともに、前記紛失者個人情報の取得元に対して前記紛失者個人情報の更新を依頼し、
前記媒体の前記記録部から前記残額情報および前記個人情報が消去されている場合、前記入力された個人情報と前記紛失者個人情報との整合を確認し、整合が確認された場合、前記媒体の前記記録部から消去された前記残額情報および前記個人情報を復旧するように、前記第２の通信部を通じて前記記録部の内容を書き替えるとともに、前記紛失者個人情報の取得元に対して前記紛失者個人情報の更新を依頼する
ことを特徴とする料金収受方法。
【発明の詳細な説明】
【技術分野】
【０００１】
本発明は、たとえば高速道路などの有料道路で利用される料金収受装置、媒体処理装置、料金収受システム、および料金収受方法に関する。
【背景技術】
【０００２】
現在、有料道路での料金収受ではプリペイドカードによる収受が１つの方法として行われているが、プリペイドカードの偽造による不正使用は後を経たず、不正使用による損害および不正防止対策費用は膨大な額となっている。
【０００３】
非接触ＩＣカード（以降、ＩＣＣと略す。）は、保持情報が多くまた偽造が困難であるため、プリペイドカードに変わる収受手段として導入が検討されている（例えば特許文献１など）。
【０００４】
このＩＣＣを用いた料金収受システムでは、車両の搭乗者が、ＩＣＣを、路側に配置されたカードリーダ／ライタの通信部に接触あるいは近づけることによって、ＩＣＣとカードリーダ／ライタとの間で非接触での通信が行われる。入口料金所では、入口情報および車種情報などがＩＣＣに記録され、出口料金所では、ＩＣＣに記録されている情報に基づいて徴収額を算出し、ＩＣＣに記録されている残額から徴収額を差し引いた値で残額を更新（料金収受）し、この料金収受が完了すれば、発進制御機の阻止棒を開放し、出口料金所からの退出を許可する。
【０００５】
このＩＣＣを用いた料金収受システムにおいては、本来の持ち主がＩＣＣを紛失した場合、このＩＣＣを拾得した者によって拾得ＩＣＣが不正使用される懸念がある。この拾得ＩＣＣの不正使用の防止対策としては、たとえば、ＩＣＣの紛失届けをした持ち主（紛失者）の個人情報を登録しておき、料金収受の場で、ＩＣＣから読み取られた個人情報と紛失者の個人情報とを照合することで拾得ＩＣＣを判定し、拾得ＩＣＣが判定された場合には、その拾得ＩＣＣに記録されている全情報を消去する、という方法がある。
【特許文献１】特開２００３−１８３７８３号公報
【発明の開示】
【発明が解決しようとする課題】
【０００６】
しかしながら、この拾得ＩＣＣの不正使用防止方法は、拾得ＩＣＣの不正使用を確実に防止できるものの、仮に本来の持ち主に紛失ＩＣＣが戻ってきたとしても、拾得者による不正使用が一回でも試みられていた場合、そのＩＣＣに記録されていた残額の情報をはじめ全ての情報が消去されているため、本来の持ち主の損害は修復し得ない、という問題があった。
【０００７】
本発明はこのような課題を解決するためになされたもので、落し主に戻ってきた非接触ＩＣカードの残額が保証される機会をうみ出し得る料金収受装置、媒体処理装置、料金収受システム、および料金収受方法を提供することを目的としている。
【課題を解決するための手段】
【０００８】
上記した課題を解決するために、本発明に係る料金収受装置は、少なくとも個人情報および残額情報を記録できる書き換え可能な記録部を有する料金収受用の媒体と通信する通信部と、前記媒体の紛失を届け出た者の個人情報を取得する紛失者個人情報取得部と、前記通信部を通じて前記媒体の前記記録部に記録されている個人情報を読み込み、この読み込んだ個人情報と、前記紛失者個人情報取得部により取得した個人情報とに基づいて、当該媒体が紛失媒体であるかどうかを判定し、前記紛失媒体である場合、当該紛失媒体の紛失後の利用回数を判定し、最初の利用回であれば前記記録部の前記残額情報を消去し、二回目以降の所定の利用回であれば前記個人情報を消去するように、前記通信部を通じて前記記録部の内容を書き替える制御部とを具備するものである。
【０００９】
また、前記制御部は、前記紛失媒体の紛失後の利用回の情報を前記紛失媒体の前記記録部に記録するように前記通信部を通じて前記記録部の内容を書き替えることを特徴とする。
【００１０】
さらに、本発明の別の観点に係る媒体処理装置は、少なくとも個人情報および残額情報を記録できる書き換え可能な記録部を有する料金収受用の媒体と通信する通信部と、前記媒体の紛失を届け出た者の個人情報を紛失者個人情報として取得する紛失者個人情報取得部と、利用者に個人情報を入力させる入力部と、前記通信部を通じて前記媒体の前記記録部に記録されている情報を読み込み、前記記録部から前記残額情報が消去されている場合、前記記録部から読み込んだ個人情報、前記入力部より入力された個人情報、および前記紛失者個人情報取得部により取得された紛失者個人情報の整合を確認し、整合が確認された場合、前記媒体の前記記録部から消去された前記残額情報を復旧するように、前記通信部を通じて前記記録部の内容を書き替えるとともに、前記紛失者個人情報の取得元に対して前記紛失者個人情報の更新を依頼する制御部とを具備するものである。
【００１１】
また、前記制御部は、前記通信部を通じて前記媒体の前記記録部の内容を読み込んだ結果を基に前記記録部から前記残額情報および前記個人情報が消去されていることを判定した場合、前記入力部より入力された個人情報と、前記紛失者個人情報取得部により取得された紛失者個人情報との整合を確認し、整合が確認された場合、前記媒体の前記記録部から消去された前記残額情報および前記個人情報を復旧するように、前記通信部を通じて前記記録部の内容を書き替えるとともに、前記紛失者個人情報の取得元に対して前記紛失者個人情報の更新を依頼する。
【００１２】
本発明において、料金収受装置では、紛失媒体の紛失後の利用回数が初回である場合には、その紛失媒体の記録部から残額情報のみを消去し、少なくとも個人情報は残すものとしている。また、紛失媒体の紛失後の利用回数が二回目以降の所定の利用回であれば、その紛失媒体の記録部から個人情報をも消去するものとしている。紛失媒体の拾得者は、拾得媒体の料金収受装置での不正利用に際し、最初の拒絶を契機に拾得媒体を捨ててしまう場合が多い。この時点でその媒体からは残額情報が消去されているものの、個人情報は残っているため、本来の持ち主にその媒体が戻ってくる確率は高くなる。
【００１３】
本来の持ち主にその媒体が戻ってくれば、この媒体を媒体処理装置にて処理し、媒体から一旦消去された残額情報の復旧を図ることができる。また、媒体から残額情報と個人情報とが消去されていたとしても、もしその媒体が本来の持ち主に戻されたなら、媒体処理装置にて、媒体から一旦消去された残額情報および個人情報の復旧を図ることができる。
【００１４】
媒体処理装置での情報の復旧には、その媒体の本来の持ち主であることを確認するために、媒体処理装置は、持ち主に対して個人情報の入力を要求する。これにより、信頼性の向上を図っている。残額情報を復旧するにあたり、媒体処理装置は、持ち主から入力された個人情報と、持ち主が紛失の届け出をした際に登録した個人情報と、媒体に記録として残っている個人情報との整合を確認し、これら個人情報が一致したなら、残額情報の復旧を許可するものとしている。また、残額情報と個人情報をともに復旧するにあたっては、媒体処理装置は、持ち主から入力された個人情報と、持ち主が紛失の届け出をした際に登録した個人情報との整合を確認し、これら個人情報が一致したなら、残額情報と個人情報の復旧を許可するものとしている。いずれにしても、持ち主が正しい個人情報を入力しさえすれば、媒体の記録内容を紛失直前の状態に復旧することができる。
【発明の効果】
【００１５】
本発明の料金収受装置、媒体処理装置、料金収受システム、および料金収受方法によれば、非接触ＩＣカードの紛失により持ち主が損害を被る確率を旧来に比べて低減することができ、利用者へのサービスの向上を図ることができる。
【発明を実施するための最良の形態】
【００１６】
以下、本発明の実施の形態を図面を参照して詳細に説明する。
【００１７】
図１は本発明に係る実施の一形態である非接触型ＩＣカード料金収受システムの全体構成を示すブロック図である。
【００１８】
同図に示すように、この非接触型ＩＣカード料金収受システム（以下、料金収受システムと呼ぶ。）１は、有料道路の入口や出口の料金所あるいはその両方に設置される料金収受機１０を含む各種の路側機器と、車両の搭乗者によって携帯される非接触型ＩＣカード（以下、ＩＣＣと呼ぶ。）２０と、ＩＣＣ２０への入金を行う入金機３０と、料金収受機１０および入金機３０と通信回線４０を介して接続された情報管理センター５０とで構成されている。
【００１９】
料金収受機１０は、ＩＣＣ２０との間で非接触で通信を行うアンテナコイルなどの通信部１１と、通信部１１を通じてＩＣＣ２０に対する情報の読み書きを行いながら、料金収受や拾得ＩＣＣ２０に対する処理を行うとともに、図示しない路側機器の制御などを実行するＣＰＵ１２と、ＣＰＵ１２により実行されるプログラムが固定的に記憶されている読み出し専用のメモリ１３と、情報管理センター５０との通信部１４とを備えている。
【００２０】
なお、図示しない路側機器としては、たとえば、車両の搭乗者に対して料金収受に関する処理の状況や結果、誘導のためのメッセージなどを表示する路側表示装置、料金収受に関する処理の結果に基づいて車両の料金所の通過をたとえば制御棒の開閉などによって許可したり阻止したりするための発進制御装置、料金所に進入してきた車両を検知すると共に進入車両の軸数・車高・車長・ナンバープレート等の車両情報を取得し、取得した車両情報から車両の車種を判別する車両判別装置などがある。
【００２１】
一方、ＩＣＣ２０は、料金収受機１０や入金機３０との間で非接触で通信を行うアンテナコイルなどの通信部２１と、ユーザの個別情報、残額情報、不正利用回数、永久使用不可情報などが記録される記録用メモリ２２と、通信部２１の制御や、記録用メモリ２２に対する読み書きの制御を行うＣＰＵ２３と、このＣＰＵ２３により実行されるプログラムなどが固定的に記憶されている読み出し専用のメモリ２４とを備えている。
【００２２】
料金収受機１０およびＩＣＣ２０の各通信部１１、２１には、それぞれコイル状のアンテナが採用されている。したがって、互いに接近すると、交流磁界によるコイルの誘導作用によって、図示しない電源部を有する料金収受機１０からＩＣＣ２０への電力伝送が行われるとともに、双方向の通信が行われるようになっている。
【００２３】
入金機３０は、ＩＣＣ２０の挿入部３７を有し、この挿入部３７に挿入されたＩＣＣ２０に対して、通信部３１を通じて、利用者からの入金による記録残高の更新処理、および、料金収受機１０にて消去された個人情報、残額情報などの復旧処理を行うものである。
【００２４】
より具体的には、入金機３０は、情報管理センター５０との通信部３２、利用者からの情報入力を受け付ける入力部３３、利用者への情報表示を行うための表示部３４、入金機３０の全体の制御と、ＩＣＣ２０への入金および情報復旧などの処理を行うＣＰＵ３５、このＣＰＵ３５により実行されるプログラムなどが固定的に記憶されている読み出し専用のメモリ３６とを備えている。なお、入金機３０のＩＣＣ２０との通信部３１は、料金収受機１０と同様の構造を有するコイル状のアンテナであってもよい。
【００２５】
次に、この実施形態の料金収受システムの動作を説明する。
【００２６】
図２は、ＩＣＣ２０の紛失から残額復旧までの過程のイメージを示す図である。
【００２７】
ＩＣＣ２０の持ち主Ａは、ＩＣＣ２０の紛失後、紛失した旨を情報管理センター５０に届け出る。届出を受けた情報管理センター５０は、当該ＩＣＣ２０の情報を情報管理センター５０に管理されているブラックリスト５１に登録する。ここで言うブラックリスト５１とは、すべてのＩＣＣ紛失者の個人情報、残額情報、届出日などが記録された電子的な文書である。このブラックリスト５１は、料金収受機１０および入金機３０に定期的に配信され、これらに取得、保存される。
【００２８】
一方、紛失ＩＣＣ２０の拾得者Ｂが、拾得したＩＣＣ２０を不正使用しようとした際、料金収受機１０は、このＩＣＣ２０がブラックリスト５１に該当するものであることを判断し、当該ＩＣＣ２０の利用を拒否するとともに、初回不正使用の場合には、このＩＣＣ２０の記録用メモリ２２から残額情報のみを消去する。
【００２９】
この拾得ＩＣＣ２０の利用に際する初回の拒絶を契機に、拾得者Ｂは拾得ＩＣＣ２０を捨ててしまうことが予想される。捨てられたＩＣＣ２０は、これを拾得した別の拾得者によって、たとえば情報管理センター５０などに持ち込まれることによって、そのＩＣＣ２０に記録として残されている個人情報により元の持ち主Ａに戻ってくる確率が高い。もし、本来の持ち主ＡにＩＣＣ２０が戻ってきたなら、持ち主ＡはＩＣＣ２０を入金機３０に挿入し、個人情報を入力することで、入金機３０にてＩＣＣ２０への残額情報の復旧が行われる。
【００３０】
次に、上記の動作に関する、料金収受機１０の処理の手順を説明する。
【００３１】
図３は料金収受機１０の処理手順を示すフローチャート、図４は同じく料金収受機１０の処理のブロック図である。
【００３２】
料金収受機１０は、通信部１４を通じて情報管理センター５０にアクセスし、常に最新のブラックリスト５１を取得し、図示しない書き替え可能なメモリに保持しているものとする。
【００３３】
まず、拾得者が料金収受機１０の通信部１１にＩＣＣ２０を接触もしくは接近させると（処理４０１）、料金収受機１０は、ＩＣＣ２０内の記録用メモリ２２にアクセスして（ステップＳ３０１，処理４０２）、ＩＣＣ２０の記録用メモリ２２に個人情報が記録されているか否かを判定する（ステップＳ３０２）。個人情報が記録されている場合（ステップＳ３０２のＹＥＳ）、料金収受機１０は、このＩＣＣ２０から読み込んだ個人情報とブラックリスト５１上の個人情報との照合を行う（ステップ３０３，処理４０３）。
【００３４】
このブラックリスト５１上の個人情報とＩＣＣ２０から読み込んだ個人情報とが不一致ならば（ステップ３０３のＮＯ）、料金収受機１０は、正しい持ち主のＩＣＣ２０であることを判断して料金収受を行い（ステップＳ３０７，処理４０８）、車両の通行を許可する。ブラックリスト５１上の個人情報とＩＣＣ２０から読み込んだ個人情報とが一致したなら（ステップ３０３のＹＥＳ）、料金収受機１０は、正しい持ち主のＩＣＣ２０ではないことを判定してＩＣＣ２０の記録用メモリ２２から不正利用回数を読み取り判定する（ステップＳ３０４，処理４０４）。
【００３５】
ここで、不正利用回数が今回を含めて１回目（記録上の不正利用回数は０回）なら（ステップ３０４の１回目）、料金収受機１０は、ＩＣＣ２０の記録用メモリ２２上の残額を消去し、ＩＣＣ２０の記録用メモリ２２に不正利用回数として”１回”を記録する（ステップＳ３０５，処理４０５）。収受員による料金収受を行う（ステップＳ３０６，処理４０５）。
【００３６】
また、不正利用回数が今回を含めて２回目（記録上の不正利用回数は１回）なら（ステップＳ３０４の２回目）、料金収受機１０は、ＩＣＣ２０の記録用メモリ２２上の個人情報を消去し、ＩＣＣ２０の記録用メモリ２２上の不正利用回数をインクリメントして”２回”とする（ステップＳ３１０，処理４０７）。この後、収受員による料金収受を行う（ステップＳ３０６，処理４０５）。
【００３７】
ステップ３０２で、ＩＣＣ２０の記録用メモリ２２内に個人情報が存在しないことが判断された場合、料金収受機１０は、ＩＣＣ２０の記録用メモリ２２に永久使用不可情報が記録されているかどうかを判定する（ステップＳ３０８）。永久使用不可情報が記録されていなければ（ステップＳ３０８のＮＯ）、料金収受機１０は、ＩＣＣ２０の記録用メモリ２２に永久使用不可情報を書き込み（ステップＳ３０９）、収受員による料金収受を行う（ステップＳ３０６，処理４０５）。永久使用不可情報が記録されている場合（ステップＳ３０８のＹＥＳ）は、そのまま収受員による料金収受を行う（ステップＳ３０６，処理４０５）。
【００３８】
このように、料金収受機１０では、ＩＣＣ２０の不正利用回数を調べ、不正利用回数が今回を含めて１回目（初回目）ならＩＣＣ２０の残額を消去し、二回目ならＩＣＣ２０の個人情報を消去するといったように、残額と個人情報を段階的に消去するようにしている。ここで、ＩＣＣ２０からは残額、個人情報の順番で消去することが重要であり、残額を消去する場合の不正利用回数および個人情報を消去する場合の不正利用回数の選定には、ある程度の変更が許される。このような残額と個人情報の段階的な消去は、次に説明する入金機３０での残額および個人情報の復旧処理において重要な意味を持つことになる。
【００３９】
また、拾得者によるＩＣＣ２０の初回の不正使用の試みで、ＩＣＣ２０から残額のみを消去することで、拾得者によるＩＣＣ２０の実際の不正使用を阻止できるとともに、拾得者によりＩＣＣ２０が捨てられた後、持ち主にそのＩＣＣ２０が戻ってくる確率が高くなる。
【００４０】
次に、入金機３０の処理の手順を説明する。
【００４１】
図５は入金機３０の処理手順を示すフローチャート、図６は同じく入金機３０の処理のブロック図である。
【００４２】
入金機３０は、通信部３２を通じて情報管理センター５０にアクセスし、常に最新のブラックリスト５１を取得し、図示しない書き替え可能なメモリに保持しているものとする。
【００４３】
まず、持ち主がＩＣＣ２０を入金機３０の挿入部３７に挿入すると（処理６０１）、入金機３０は、ＩＣＣ２内の記録用メモリ２２からの個人情報の読み込みを試みる（ステップＳ５０１，処理６０２）。持ち主は、ＩＣＣ２０を挿入後、表示部３４の画面に表示されるガイダンスに従って、自分の個人情報を入力部３３より入力する（ステップＳ５０２，処理６０３）。
【００４４】
続いて、入金機３０は、ＩＣＣ２０から読み込んだ個人情報と、持ち主から入力された個人情報とを比較する（ステップＳ５０３）。この比較の結果、両個人情報が一致する場合（ステップＳ５０３のＹＥＳ）、入金機３０は続いて、ＩＣＣ２０から読み込んだ個人情報とブラックリスト５１上の個人情報との照合を行う（ステップＳ５０４，処理６０４）。
【００４５】
このブラックリスト５１との照合の結果、ＩＣＣ２０から読み込んだ個人情報がブラックリスト５１上のどの個人情報とも一致しなければ（ステップＳ５０４のＮＯ）、入金機３０は、入金を行うかどうかを持ち主に対して確認するための画面を表示部３４に表示し（ステップＳ５１１）、持ち主は、その応答を入力部３３から入力する（ステップＳ５１２，処理６０５）。
【００４６】
持ち主より入金する意思が入力された場合（ステップＳ５１２のＹＥＳ）、入金機３０は入金処理を行い（ステップＳ５１３，処理６０６）、入金処理の結果、残額情報が更新されたＩＣＣ２０を持ち主に返却する（ステップＳ５０８，処理６０７）。持ち主から入金の意思が無いことが入力された場合（ステップＳ５１２のＮＯ）、入金機３０はＩＣＣ２０に何もせずに返却する（ステップＳ５０８，処理６０７）。
【００４７】
また、ステップＳ５０４のブラックリスト照合の結果、ＩＣＣ２０から読み込んだ個人情報がブラックリスト５１上の個人情報と一致した場合（ステップＳ５０４のＹＥＳ）、入金機３０は、ブラックリスト５１上の当該個人情報の登録日時（紛失の届け日時）に基づいて、有効期限が切れていないかどうかの判定を行い（ステップＳ５０５，処理６０８）、有効期限内である場合（ステップＳ５０５のＹＥＳ）、入金機３０は、ＩＣＣ２０の残額を復旧する処理を行い（ステップＳ５０６）、通信部３２を通じて情報管理センター５０に、ブラックリスト５１から該当する個人情報を削除するように依頼する（ステップＳ５０７，処理６０９）。この後、ＩＣＣ２０が持ち主に返却される（ステップＳ５０８，処理６０７）。
【００４８】
また、有効期限を越えている場合には（ステップＳ５０５のＮＯ）、入金機３０は、ＩＣＣ２０の記録用メモリ２２に永久使用不可情報が記録されているかどうかを判定し（ステップＳ５１４）、記録されていない場合（ステップＳ５１４のＮＯ）、ＩＣＣ２０の記録用メモリ２２に永久使用不可情報を記録して（ステップＳ５１５）、復旧不可なＩＣＣとして持ち主に返却する（ステップＳ５０８，処理６１０）。永久使用不可情報が記録されている場合には（ステップＳ５１４のＹＥＳ）、入金機３０は、既に復旧不可なＩＣＣ２０であることを判断し、このＩＣＣ２０を持ち主に返却する（ステップＳ５０８，処理６１０）。
【００４９】
ＩＣＣ２０内の個人情報と持ち主が入力した個人情報とが不一致の場合（ステップＳ５０３のＮＯ）、入金機３０は、ＩＣＣ２０内の記録用メモリ２２に個人情報が記録されているか否かを判定し（ステップＳ５０９）、個人情報が記録されていない場合（ステップＳ５０９のＮＯ）、持ち主より入力された個人情報とブラックリスト５１上の個人情報との照合を行う（ステップＳ５１０，処理６１１）。
【００５０】
持ち主より入力された個人情報が、ブラックリスト５１上の個人情報と一致する場合（ステップＳ５１０のＹＥＳ）、入金機３０は、ブラックリスト５１上の当該個人情報の登録日時（紛失の届け日時）に基づいて、有効期限が切れていないかどうかの判定を行う（ステップＳ５０５，処理６１２）。有効期限内である場合（ステップＳ５０５のＹＥＳ）、入金機３０は、ＩＣＣ２０の残額および個人情報を復旧する処理を行い（ステップＳ５０６）、通信部３２を通じて情報管理センター５０に、ブラックリスト５１から該当する個人情報を削除するように依頼する（ステップＳ５０７，処理６１３）。この後、ＩＣＣ２０を持ち主に返却する（ステップＳ５０８，処理６０７）。
【００５１】
また、有効期限を越えている場合には（ステップＳ５０５のＮＯ）、入金機３０は、ＩＣＣ２０内の記録用メモリ２２に永久使用不可情報が記録されているかどうかを判定し（ステップＳ５１４）、記録されていない場合（ステップＳ５１４のＮＯ）、ＩＣＣ２０の記録用メモリ２２に永久使用不可情報を記録して（ステップＳ５１５）、復旧不可なＩＣＣとして持ち主に返却する（ステップＳ５０８，処理６１４）。永久使用不可情報が記録されている場合には（ステップＳ５１４のＹＥＳ）、入金機３０は、既に復旧不可なＩＣＣ２０であることを判断し、このＩＣＣ２０を持ち主に返却する（ステップＳ５０８，処理６１４）。
【００５２】
また、ステップ５１０，処理６１１のブラックリスト照合で、持ち主より入力された個人情報がブラックリスト５１上の個人情報とが不一致である場合（ステップＳ５１０のＮＯ）、入金機３０は挿入されたＩＣＣ２０を、復旧不可なＩＣＣとして持ち主に返却する（ステップＳ５０８，処理６１５）。
【００５３】
さらに、ステップＳ５０９で、ＩＣＣ２０内の記録用メモリ２２に個人情報が記録されていることが判定された場合も（ステップＳ５０９のＹＥＳ）、入金機３０は、挿入されたＩＣＣ２０を復旧不可なＩＣＣとして持ち主に返却する（ステップＳ５０８，処理６１５）。
【００５４】
なお、ＩＣＣ２０の残額を復旧する方法としては、たとえば、紛失届け時に残額を申告してブラックリストに登録し、この登録情報に基づいて残額復旧を行う方法、ＩＣＣ２０の記録用メモリ２２の残額情報を、残額の値と、残額の有効と無効を切り替えるフラグデータなどとで構成し、このフラグデータの書き換えにより残額の消去と復旧を行う方法などが挙げられる。
【００５５】
このように、入金機３０では、挿入されたＩＣＣ２０に個人情報が記録として残っている場合には、そのＩＣＣ２０から読み込んだ個人情報、持ち主から直接入力された個人情報、ブラックリスト５１上の個人情報の整合を確認し、これらの個人情報が一致し、かつ有効期限が切れていなければ、当該ＩＣＣ２０に紛失当時の残額を復旧することができる。
【００５６】
また、入金機３０では、挿入されたＩＣＣ２０に個人情報が記録されていない場合であっても、持ち主から直接入力された個人情報と、ブラックリスト５１上の個人情報との整合を確認し、これらの個人情報が一致し、かつ有効期限が切れていなければ、当該ＩＣＣ２０に残額および個人情報を復旧することができる。
【００５７】
なお、有効期限切れの判定は、必ずしも必要とするものではなく、復旧の拒否判定から排除してもかまわない。
【００５８】
また、上記の実施の形態では、不正利用回数をＩＣＣ２０に記録するものとしたが、ブラックリスト５１に記録してもかまわない。この場合、ＩＣＣ２０に不正利用回数を記録しなくてもよい。この場合、料金収受機１０は、情報管理センター５０より取得したブラックリスト５１から、対象ＩＣＣ２０の不正利用回数を判定するものとする。
【００５９】
以上本発明の実施形態を説明したが、本発明は、上述の実施形態にのみ限定されるものではなく、本発明の要旨を逸脱しない範囲内において種々変更を加え得ることは勿論である。
【図面の簡単な説明】
【００６０】
【図１】本発明に係る実施の一形態である非接触型ＩＣカード料金収受システムの全体構成を示すブロック図である。
【図２】ＩＣＣの紛失から残額復旧までの過程のイメージを示す図である。
【図３】料金収受機の処理手順を示すフローチャートである。
【図４】料金収受機の処理のブロック図である。
【図５】入金機の処理手順を示すフローチャートである。
【図６】入金機の処理のブロック図である。
【符号の説明】
【００６１】
１・・・料金収受システム、１０・・・料金収受機、１１・・・通信部、１２・・・ＣＰＵ、１３・・・読み出し専用のメモリ、１４・・・通信部、２０・・・非接触型ＩＣカード（ＩＣＣ）、２１・・・通信部、２２・・・記録用メモリ、２３・・・ＣＰＵ、２４・・・読み出し専用のメモリ、３０・・・入金機、３１・・・通信部、３２・・・通信部、３３・・・入力部、３４・・・表示部、３５・・・ＣＰＵ、３６・・・読み出し専用のメモリ、３７・・・挿入部、４０・・・通信回線、５０・・・情報管理センター、５１・・・ブラックリスト。
【図１】
2005173647.tif 000003
【図２】
2005173647.tif 000004
【図３】
2005173647.tif 000005
【図４】
2005173647.tif 000006
【図５】
2005173647.tif 000007
【図６】
2005173647.tif 000008